(57)【要約】【課題】つるが伸長した場合における作業負担を軽減する。【解決手段】  屋根緑化装置は、屋根表面に沿ってつる性植物を繁茂させることで屋根を緑化する装置であり、下部網状部材（下部金属網３）と上部網状部材（上部金属網４）とを有する。下部網状部材は、屋根表面の上方に屋根表面に沿って間隔を空けて設置される。上部網状部材は、下部網状部材の上方に間隔を空けて設置され、下部網状部材との間につる性植物１８を繁茂させるための空間４３を形成する。【選択図】図３
2011193846.tif 000002
【特許請求の範囲】
【請求項１】
屋根表面に沿ってつる性植物を繁茂させることで屋根を緑化する屋根緑化装置であって、
前記屋根表面の上方に間隔を空けて設置される下部網状部材と、
前記下部網状部材の上方に間隔を空けて設置され、前記下部網状部材との間に前記つる性植物を繁茂させるための空間を形成する上部網状部材と、
を有することを特徴とする屋根緑化装置。
【請求項２】
前記屋根の大棟部に設置され、植栽された前記つる性植物の通る開口が側面に形成された栽培槽を有し、
前記屋根は、前記大棟部から軒部に向けて下り傾斜させた状態で設けられ、
前記下部網状部材の上端部を、前記栽培槽の側面における前記開口よりも下方に配置させ、
前記上部網状部材の上端部を、前記栽培槽の側面における前記開口よりも上方に配置させたことを特徴とする請求項１に記載の屋根緑化装置。
【請求項３】
前記上部網状部材の網目は、前記下部網状部材の網目よりも大きいことを特徴とする請求項１又は２に記載の屋根緑化装置。
【請求項４】
前記下部網目状部材における軒側端部と前記上部網目状部材における軒側端部とを接続する軒側網目状部材を設けたことを特徴とする請求項２又は３に記載の屋根緑化装置。
【請求項５】
天板部と側板部とを含み、前記天板部の下方に前記つる性植物が通る空間を形成する足場部材を、前記屋根の大棟部と軒部との間に設置し、
前記上部網状部材を伸縮性及び可撓性を有するネットによって構成したことを特徴とする請求項１から４の何れか１項に記載の屋根緑化装置。
【請求項６】
天板部と側板部とを含み、前記天板部の下方に前記つる性植物が通る空間を形成する足場部材を、前記屋根の大棟部と軒部との間に設置し、
前記上部網状部材を前記足場部材の位置で分割し、開閉可能な状態で設置したことを特徴とする請求項１から４の何れか１項に記載の屋根緑化装置。
【発明の詳細な説明】
【技術分野】
【０００１】
本発明は、屋根緑化装置に関する。
【背景技術】
【０００２】
近年、地球温暖化問題への対応、都心部におけるヒートアイランド化の抑制、大気浄化等の環境対策、又は建物の断熱や紫外線劣化防止等を目的として、ビル等の屋上や工場等の屋根に植栽を施す屋上緑化設備が提案されている。
【０００３】
引用文献１には、つる性植物を養液栽培する栽培槽と、この栽培槽に培養液を循環供給する培養液供給装置とを備え、つる性植物を栽培槽側面の開口部から伸長させることで屋根の表面の少なくとも一部を覆う屋根緑化装置が記載されている。
【先行技術文献】
【特許文献】
【０００４】
【特許文献１】特開２００９−２０１４０７号公報
【発明の概要】
【発明が解決しようとする課題】
【０００５】
この屋根緑化装置では、装置の設置時に、開口部から伸びたつるを、屋根表面に沿って設けた格子部に誘引して固定している。しかしながら、装置の設置後につるが伸びた場合、風にあおられる等してつるが大きく移動して擦れたり折れたりすることがあり、再度の誘因作業を行わなければならないこともある。しかし、このような誘因作業は煩雑であり、手間を要する。
【０００６】
本発明は、このような事情に鑑みてなされたものであり、その目的は、つるが伸長した場合における作業負担を軽減することにある。
【課題を解決するための手段】
【０００７】
前記課題を解決するため、本発明は、屋根表面に沿ってつる性植物を繁茂させることで屋根を緑化する屋根緑化装置であって、前記屋根表面の上方に間隔を空けて設置される下部網状部材と、前記下部網状部材の上方に間隔を空けて設置され、前記下部網状部材との間に前記つる性植物を繁茂させるための空間を形成する上部網状部材と、を有することを特徴とする。
【発明の効果】
【０００８】
本発明によれば、下部網状部材と上部網状部材とで区画される空間内でつる性植物を繁茂させるので、つるが風を受けても上部網状部材によって過度な移動が抑制される。そして、時間の経過に伴ってつるが網状部材に絡んで固定される。その結果、つるが伸長しても誘因作業を行わなくて済み、作業負担を軽減できる。
【図面の簡単な説明】
【０００９】
【図１】屋根緑化装置を説明する斜視図である。
【図２】栽培槽の内部を示す断面図である。
【図３】（ａ）は屋根表面に設けられた下部金属網及び上部金属網を説明する拡大斜視図である。（ｂ）は同じく拡大側面図である。
【図４】栽培槽と下部金属網及び上部金属網との位置関係を説明する拡大側面図である。
【図５】軒側金属網を設けた実施形態を説明する図である。
【図６】足場フレームを設け、上部金属網に代えてネットを設けた実施形態を説明する図である。
【図７】足場フレームを設け、第１上部金属網と第２上部金属網を開閉可能に構成した実施形態を説明する図である。
【発明を実施するための形態】
【００１０】
以下、本発明の実施形態について説明する。まず、屋根緑化装置の全体構成について説明する。
【００１１】
屋根緑化装置は、例えば、家屋等の建物において屋根表面を緑化する目的で設置されるものであり、図１に示すように、栽培槽１と、培養液循環ユニット２と、下部金属網３と、上部金属網４とを備えている。
【００１２】
図１に例示した建物５は切妻造りの建物５である。このため、建物５の屋根６は、頂部である大棟部７を境に、両側に向けて下り傾斜した状態で設けられる。また、図３にも示すように、本実施形態の屋根６には波板が用いられており、凹凸状の筋が大棟部７から軒部８に向かうように波板が葺かれている。
【００１３】
栽培槽１は、つる性植物を水耕栽培するためのものであり、屋根６の大棟部７に設置されている。この栽培槽１で栽培されるつる性植物としては、多年生のものが用いられる。耐寒性及び耐暑性に優れ、また垂下性を有するという観点からウコギ科のつる性植物が好適に用いられる。ウコギ科のつる性植物としては、ヘデラ・ヘリックス、ヘデラ・アルジェニシス、ヘデラ・コルシカ、ヘデラ・ハイバニカ等が挙げられる。
【００１４】
栽培槽１は、直方体状の外観形状をしており、内部に空洞を有する箱体によって構成されている。すなわち、図２に示すように、栽培槽１は、ポリ塩化ビニル等の遮光性を有する材料からなり、上面が開放された直方体状の栽培槽本体１１と、栽培槽本体１１の上面開口を上方から覆う蓋体１２とを有する。
【００１５】
栽培槽本体１１の側面には、供給側開口１３と、排水側開口１４と、側面開口１５（図１を参照）とが形成されている。供給側開口１３は、栽培槽本体１１が有する短辺側の側板のうち、一方の側板に形成されている。この供給側開口１３には、培養液を供給する供給管１６の上端部分が挿入される。排水側開口１４は、栽培槽本体１１を構成する短辺側の側板のうち、供給側開口１３が設けられた側板とは反対側の側板に設けられている。この排水側開口１４には、培養液を回収する回収管１７の先端部分が挿入される。側面開口１５は、栽培槽本体１１を構成する長辺側の両側板に、長辺方向へ間隔を空けて形成されている。この側面開口１５は、栽培槽１の内部に植栽されたつる性植物１８が、栽培槽１の外部へと伸びる際に通る出口となる。
【００１６】
栽培槽本体１１の内部には、つる性植物１８を培養するための培地１９が収容されている。この培地１９には、植物が植え込まれている。本実施形態では、透水性素材からなるポット２０で育苗された状態のつる性植物１８が、ポット２０ごと植え込まれている。本実施形態のポット２０は、圧縮成形されたピートモスによって作製されている。培地１９には、例えば、栽培槽本体１１の長手方向に沿って、略等間隔となるように複数のつる性植物１８が植え込まれている。
【００１７】
供給側開口１３を通って栽培槽１内に導かれた供給管１６の上端部分は、培地１９の表面にて噴射管２１と接続されている。噴射管２１は、供給管１６とは反対側の先端が塞がれ、培養液の噴射孔２２が周面に所定間隔で形成された円筒状部材である。そして、噴射管２１の長さは、栽培槽１内部における長手方向の長さより多少短い程度とされており、噴射管２１は、栽培槽１の長手方向に沿って配置されている。このため、各噴射孔２２から噴射された培養液は、培地１９の全体にしみ渡る。
【００１８】
排水側開口１４を通って栽培槽１内に導かれた回収管１７の上端部分は、栽培槽１の底部近傍に埋設されている。この上端部分も、栽培槽１における長手方向の長さより多少短い程度の長さであり、周面には培養液を回収するための回収孔２３が複数形成されている。従って、噴射孔２２から噴射されて培地１９内を流下した培養液は、回収管１７の上端部分に形成された回収孔２３から回収管１７の内部に流入する。
【００１９】
培養液循環ユニット２は、栽培槽１との間で培養液を循環させるための部分である。図１に示すように、培養液循環ユニット２は、培養液タンク３１と、給液ポンプ３２と、培養液生成部３３とを有している。
【００２０】
培養液タンク３１は、栽培槽１との間で循環使用される培養液を貯留する部分であり、藻の発生を抑制するため遮光性の容器によって構成されている。この培養液タンク３１には供給管１６の下端部分及び回収管１７の下端部分が挿入されている。そして、供給管１６の下端開口は培養液タンク３１の底面付近に位置し、回収管１７の下端開口は培養液タンク３１の上部に位置している。
【００２１】
給液ポンプ３２は、供給管１６の途中に設けられており、培養液タンク３１に貯められた培養液を栽培槽１へ向けて送る。前述したように、送られた培養液は、栽培槽１の内部に配置された噴射管２１に導かれ、噴射孔２２から培地１９に向けて噴射される。なお、本実施形態において、給液ポンプ３２は培養液タンク３１の上面に載置されている。
【００２２】
培養液生成部３３は、水道水と濃縮液とから培養液を生成する。この培養液生成部３３は、濃縮液が貯留された濃縮液タンク３４と、混合器（図示せず）とを有する。濃縮液タンク３４は、植物を培養するための養分が濃縮された濃縮液を貯留する。混合器は、水道水と濃縮液とを適当な割合で混ぜ、培養液を生成する。混合器で生成された培養液は、培養液タンク３１に送られる。なお、混合器は、培養液タンク３１に貯留された培養液の量が規定量未満の場合に動作し、規定量に達するまで培養液を補充する。
【００２３】
次に、下部金属網３（下部網状部材）及び上部金属網４（上部網状部材）について説明する。
【００２４】
下部金属網３は、栽培槽１から伸長したつる性植物１８を支持するための支持部材である。本実施形態の下部金属網３は、長期間に亘って外気にさらされても腐食され難いように、ステンレス製の金属網が使用されている。この下部金属網３の網目は、つる性植物１８が絡んで固定され易いような大きさに設けられている。また、網目の形状は、亀甲形や菱形等、種々の形状が採られる。
【００２５】
この下部金属網３は、図１，図３及び図４に示すように、栽培槽１の側面開口１５よりも下の位置、具体的には屋根表面（波の凸部）よりも少し上の位置に、屋根表面に沿って下り傾斜した状態で取り付けられる。また、下部金属網３を取り付けるにあたり、屋根表面から上方に立設されたボルト４１、及び、このボルト４１に螺合される一対のナット４２を用いている。すなわち、一対のナット４２で下部金属網３を挟んでいる。これにより、任意の高さ位置で下部金属網３を容易に固定できる。
【００２６】
その結果、日光の照射によって高温になった屋根表面につる性植物１８が直接触れてしまうことを防ぐことができ、つる性植物１８が枯れてしまうことを抑制できる。
【００２７】
上部金属網４は、下部金属網３よりも上方に配置され、下部金属網３との間につる性植物１８を繁茂させるための空間４３を形成する。この上部金属網４は、栽培槽１から伸長したつる性植物１８が風であおられても過度に移動しないようにするための移動抑制部材である。本実施形態の上部金属網４もまた、下部金属網３と同様にステンレス製の金属網が使用されている。具体的には、波状の金属線を格子状に組んだものが用いられている。
【００２８】
上部金属網４の網目は、つる性植物１８の葉の大きさに応じて定められる。すなわち、つるから落ちた葉が容易に飛び出さない程度の大きさに定められている。このため、上部金属網４の網目は、下部金属網３の網目よりも大きくなっている。そして、上部金属網４の網目を下部金属網３の網目よりも大きくすることで、つるが上部金属網４に絡みやすくなるため、つるをしっかりと固定できる。また、上部金属網４に用いられる金属線の量を、下部金属網３に用いられる金属線の量よりも少なくすることもでき、全体として軽量に構成できる。
【００２９】
この上部金属網４は、図１及び図４に示すように、栽培槽１の側面開口１５よりも上の位置に配置されている。具体的には、上部金属網４の傾斜上端が栽培槽１の上端の高さ位置に配置され、かつ、下部金属網３とほぼ平行となる向きで取り付けられる。また、上部金属網４を取り付けるにあたり、下部金属網３と同様に、ボルト４１及び一対のナット４２を用いている。すなわち、一対のナット４２で上部金属網４を挟んでいる。また、図１や図３に示すように、上部金属網４の周縁には複数本の脚部４４が設けられていて、上部金属網４を支えている。この脚部４４は、例えば金属線を網面と直交する方向へ屈曲させることで設けられる。
【００３０】
以上のように構成された屋根緑化装置では、図３や図４に示すように、栽培槽１の側面開口１５から外に出たつる性植物１８は、下部金属網３と上部金属網４とで区画される空間４３内で成長して繁茂し、下部金属網３の下り傾斜に沿って伸びる。伸びたつるは、各金属網３，４と絡むまでは自由に動くことができるので、風であおられると移動する。しかし、移動しても上部金属網４等にあたるため、移動範囲が制限される。そして、成長の過程で各金属網３，４に絡むため、絡んだ部分については、しっかりと固定されて風であおられても大きく移動しない。従って、つるの移動に伴う擦れや折れを抑制でき、つるが伸長しても誘因作業を行わなくて済む。その結果、作業負担を軽減できる。
【００３１】
また、載場槽は屋根６の大棟部７に設置されており、この栽培槽１の側面には、植栽されたつる性植物１８の通る側面開口１５が形成されている。さらに、屋根６は大棟部７から軒部８に向けて下り傾斜させた状態で設けられており、下部金属網３の上端部が側面開口１５よりも下方に、上部金属網４の上端部が側面開口１５よりも上方に配置されているので、側面開口１５から栽培槽１の外へ出たつる性植物１８は、自然と下部金属網３と上部金属網４とで区画される空間４３に導かれることになる。従って、設置時の誘引作業を省くことができる。
【００３２】
さらに、上部金属網４の網目を下部金属網３の網目よりも大きくしているので、つるが上部金属網４に絡みやすくなり、つるの過度な移動を早期に抑制できる。
【００３３】
ところで、上述の実施形態は、本発明の理解を容易にするためのものであり、本発明を限定するものではない。本発明はその趣旨を逸脱することなく、変更、改良され得ると共に本発明にはその等価物が含まれることは勿論である。例えば、次のように構成してもよい。
【００３４】
図５は、下部金属網３及び上部金属網４の下端に、軒側金属網４５を設けた実施形態を説明する図である。この実施形態では、下部金属網３の傾斜下端（軒側端部）と上部金属網４の傾斜下端（軒側端部）とを軒側金属網４５（軒側網目状部材）によって接続している。この軒側金属網４５は、上部金属網４と同様に、波状の金属線を格子状に組んだものが用いられている。そして、軒側金属網４５を設けたことにより、つるが軒を越えて垂れ下がり難くなり、建物５の美観を向上させることができる。
【００３５】
また、この実施形態では、屋根６の袖部９に対応する下部金属網３及び上部金属網４の側端に、袖側金属網４６を設けている。この袖側金属網４６もまた、波状の金属線を格子状に組んだものであり、下部金属網３の側端と上部金属網４の側端とを接続する。そして、袖側金属網４６を設けたことにより、つるが袖を越えて垂れ下がり難くなり、建物５の美観を向上させることができる。
【００３６】
図６は、足場フレーム５１（足場部材）を設け、上部金属網４に代えてネット５２（上部網状部材）を設けた実施形態を説明する図である。この足場フレーム５１は、屋根６の大棟部７と軒部８との間（すなわち袖部９の途中）に側板部５１ａを対にして設け、各側板部５１ａの上端部を天板部５１ｂに接合することで、天板部５１ｂの下方につる性植物１８が通る空間４３を形成している。ネット５２は、伸縮性及び可撓性を有する繊維で作製されたものである。このネット５２は、天板部５１ｂの上面に設けたフック５１ｃや軒部８から立設した引っ掛け棒５３、或いは、栽培槽１の上縁に設けたフック（図示せず）等に引っ掛けて取り付けられる。これにより、足場フレーム５１に乗った作業者は、天板部５１ｂのフック５１ｃからネット５２を外すことで、ネット５２と下部金属網３の空間４３に入り込んだ枯れ葉やゴミ等を容易に拾うことができる。
【００３７】
図７は、足場フレーム５１の位置で上部金属網４を分割し、各上部金属網４Ａ，４Ｂを開閉可能な状態で設置した実施形態を説明する図である。この実施形態では、足場フレーム５１よりも上側の第１上部金属網４Ａを栽培槽１側の端部で回動可能に取り付け、足場フレーム５１よりも下側の第２上部金属網４Ｂを足場フレーム５１側の端部で回動可能に取り付けている。これにより、作業者は、第１上部金属網４Ａや第２上部金属網４Ｂの自由端（傾斜下端）を上方に回動させることで、各上部金属網４Ａ，４Ｂと下部金属網３の空間４３に入り込んだ枯れ葉やゴミ等を容易に拾うことができる。
【００３８】
なお、前述の各実施形態において、上部金属網４や下部金属網３に代えて、金属以外の素材で作製された網を使用することもできる。例えば樹脂製の網を用いることができる。
【００３９】
また、足場フレーム５１に関し、天板部５１ｂの下方につる性植物１８が通る空間４３が形成されていれば、他の構造を採ってもよい。例えば、穴あき金属板で足場フレーム５１を作製してもよい。
【符号の説明】
【００４０】
１…栽培槽，２…培養液循環ユニット，３…下部金属網，４…上部金属網，４Ａ…第１上部金属網，４Ｂ…第２上部金属網，５…建物，６…屋根，７…大棟部，８…軒部，９…袖部，１１…栽培槽本体，１２…蓋体，１３…供給側開口，１４…排水側開口，１５…側面開口，１６…供給管，１７…回収管，１８…つる性植物，１９…培地，２０…ポット，２１…噴射管，２２…噴射孔，２３…回収孔，３１…培養液タンク，３２…給液ポンプ，３３…培養液生成部，３４…濃縮液タンク，４１…ボルト，４２…ナット，４３…空間，４４…脚部，４５…軒側金属網，４６…袖側金属網，５１…足場フレーム，５２…ネット
【図１】
2011193846.tif 000003
【図２】
2011193846.tif 000004
【図３】
2011193846.tif 000005
【図４】
2011193846.tif 000006
【図５】
2011193846.tif 000007
【図６】
2011193846.tif 000008
【図７】
2011193846.tif 000009